(57)【要約】【課題】ニオイの吸着や芳香の低減並びに散逸が防止でき、飲食店などで長期保管が可能な爪楊枝を得る。【解決手段】少なくとも一方の先端部４に口臭予防用薬剤を塗布してなる爪楊枝本体２と、爪楊枝本体２を被覆する包装３より爪楊枝１を構成する。【選択図】図１
0003102364.tif 000002
【実用新案登録請求の範囲】
【請求項１】
少なくとも一方の先端部（４）に口臭予防用薬剤を塗布および／または含浸してなる爪楊枝本体（２）と、爪楊枝本体（２）を被覆する包装（３）より構成されることを特徴とする爪楊枝。
【請求項２】
前記包装（３）は、複数本の爪楊枝本体（２）を被覆していることを特徴とする請求項１に記載の爪楊枝。
【請求項３】
前記包装（３）は、爪楊枝本体（２）と、先端部（４）に被せられるキャップ（８）を被覆していることを特徴とする請求項１または２に記載の爪楊枝。
【考案の詳細な説明】
【技術分野】
【０００１】
本考案は、爪楊枝に関するものである。
【背景技術】
【０００２】
この種の爪楊枝としては、爪楊枝本体の先端に香料あるいは殺菌液を染み込ませ、口内の殺菌効果と精神的な満足感を使用者に与えるものがある（特開２００３−７０８１０）。また、爪楊枝本体を可食性のカラシ成分から成形し香料を塗布して、弁当などで使用した場合のおかずの腐敗防止、爪楊枝使用時の香料による口臭軽減ができるようにしたものがある（特開２００１−２９３６７）。
【考案の開示】
【考案が解決しようとする課題】
【０００３】
前記従来技術はいずれも爪楊枝の一部に抗菌性または芳香性の口臭予防用薬剤を用いて口臭予防を行っている。
口臭予防用薬剤としては、例えばハーブの抽出液などが用いられているが、この種の香料は外気に長時間暴露すると香りが飛んでしまう。また、飲食店などでは店内の飲食物のニオイを吸着して、芳香が低減されたりする。そのため、製造後に長時間保管する場合は厳重に梱包し外気を遮断する必要があり、さらに飲食店などでは専用の爪楊枝ケースに入れて保管する必要があった。
【０００４】
本考案は、このような従来技術の問題点を解決できるようにした爪楊枝を提供することを目的とする。
本考案は、外気に含まれるニオイ成分が爪楊枝本体に吸着しないように外気から爪楊枝本体を遮断できる包装を設けることによりニオイの吸着や芳香の低減が防止できるようにした爪楊枝を提供することを目的とする。
【課題を解決するための手段】
【０００５】
前記目的を達成するため、本考案は、次の手段を講じた。
即ち、少なくとも一方の先端に口臭予防用薬剤を塗布および／または含浸してなる爪楊枝本体と、爪楊枝本体を被覆する包装より爪楊枝を構成している。
包装で被覆される爪楊枝本体は複数でも良く、包装には爪楊枝本体の先端部に被せられるキャップを入れても良い。
【考案の効果】
【０００６】
本考案により、外気に含まれるニオイの侵入を包装によって遮断することができるため、悪臭等の吸着を防止して先端に塗布および／または含浸した口臭予防用薬剤の芳香成分の低減並びに散逸が防止でき、飲食店などでの長期保管が可能となる。また、包装によって爪楊枝を被覆してあるため、先端に塗布および／または含浸してある口臭予防薬剤が脱落したり、欠損することも防止することができる。
【考案を実施するための最良の形態】
【０００７】
以下、本考案の実施の形態を図面に基づき説明する。
図１〜４において、爪楊枝１は大別すると、一端部が尖鋭端とされている爪楊枝本体２と、爪楊枝本体２を被覆する３方をシールされた方形袋状の包装３より構成される。
爪楊枝本体２は、木材、竹またはプラスチックを用いて丸棒状に成形され、一端の先端部４が尖っており、爪楊枝１の使用者が歯間に挟まった歯垢または夾雑物を掻き出しやすいように成形されており、他端部には爪楊枝受け７を設けている。先端部４には口臭予防用薬剤６が塗布または含浸されている塗布部５が形成されており、歯間に挟まった歯垢または夾雑物を掻き出すとともに、口内に口臭予防用薬剤６が広がり、口臭を予防できるようになっている。
【０００８】
前記口臭予防用薬剤６は口臭を予防できるように芳香成分と殺菌成分の少なくとも一方を含む。芳香成分は、ミント類、メントール、アネトール、メチルサリシレート、レモン油、オレンジ油、ユーカリ油およびシナモン油などの香料であって、口内の悪臭を香料の有する芳香で軽減する。また、殺菌成分はイソプロピルメチルフェノール、塩化セチルピリジニウム、トリクロサンなどの殺菌性の薬剤であって、口内雑菌の繁殖を抑制でき、口臭を予防する。
前記包装３は、爪楊枝本体２を収容できる方形袋状であって、１枚の包装用紙を２つ折りし、その３方をシールされている。包装３は、紙、ポリエチレンその他のプラスチックフィルムからなるものや、これらにワックスまたはアルミ箔等の金属箔をラミネートしたフィルムにより構成され、爪楊枝本体２を外気から遮断して塗布部５の芳香成分や殺菌成分が外気に含まれる炭酸ガス、水分、埃（微生物が付着したものを含む）または調理において発生する油滴などと接触し、芳香性または殺菌性が劣化するのを防止できるようになっている。さらに、携行して複数回使用できるように、包装３で被覆される爪楊枝本体２は複数本でも良い。
【０００９】
なお、包装３の表裏には、店名、電話番号、予約受付、来店勧誘、商品紹介、宣伝広告、メインブランド、キャッチフレーズ、本品の特徴、使用方法などを表示しても良い。
本考案は前記実施形態における各部材の形状およびそれぞれの前後・左右・上下の位置関係は、図１〜４に示すように構成することが最良である。しかし、前期実施形態に限定されるものではなく、部材、構成を種々変形したり、組み合わせを変更したりすることもできる。
例えば、図５に示すように、爪楊枝本体２の尖鋭端を両端部に設けても良い。さらに、両端部に塗布する口臭予防用薬剤６を異なる種類の薬剤としても良い。例えば、一端部をミント類のような香料として、他端部を殺菌性の薬剤としたりできる。また、一端部にのみ口臭予防用薬剤６を塗布し、他端部には口臭予防用薬剤６を塗布しないようにしていても良い。
【００１０】
また、図６に示すように、爪楊枝本体２を丸棒状に成形する代わりに、正面視多角形状（図６では三角形）に成形しても良い。
さらに、図７に示すように、包装３には複数本の爪楊枝本体２を被覆していても良く、爪楊枝本体２の塗布部５を覆えるキャップ８を同梱しても良い。キャップ８は１度使用した爪楊枝本体２を衛生的に保ち、埃や汚れが塗布部５に付着するのを防止する為に用いられ、キャップ８の表面に抗菌処理が施されているかあるいは殺菌剤が塗布されていているのがより好ましい。
【図面の簡単な説明】
【００１１】
【図１】爪楊枝１の全体を側面から見た図である。
【図２】爪楊枝本体２の側面図である。
【図３】先端部４の断面図である。
【図４】爪楊枝本体２の正面図である。
【図５】塗布部５が両端部に設けられた爪楊枝本体２の実施例を示す側面図である。
【図６】正面視三角形の断面を有する爪楊枝本体２の実施例を示す正面図である。
【図７】包装３に複数本の爪楊枝本体２とキャップ８が被覆された実施例を示す側面透視図である。
【符号の説明】
【００１２】
１    爪楊枝
２    爪楊枝本体
３    包装
４    先端部
８    キャップ
【図１】
0003102364.tif 000003
【図２】
0003102364.tif 000004
【図３】
0003102364.tif 000005
【図４】
0003102364.tif 000006
【図５】
0003102364.tif 000007
【図６】
0003102364.tif 000008
【図７】
0003102364.tif 000009